(57)【特許請求の範囲】
【請求項１】
第１の携帯品が利用された第１の情報を取得し、
第２の携帯品が有するセンサによって検知された第２の情報を取得し、
前記第１の情報及び前記第２の情報に基づいてユーザの状態の差異を検出し、
ユーザの状態に差異がある場合、前記第１の情報及び前記第２の情報と過去の履歴とを比較して異常事態が発生した可能性があるか否かを判定し、
ユーザの状態に差異がない場合、前記第１の情報と前記第２の情報とをセットにして前記履歴として管理し、
異常事態が発生した可能性がある場合、前記第１の携帯品及び前記第２の携帯品のいずれが正当なユーザの手元を離れたのかを判定することを特徴とする携帯品管理方法。
【請求項２】
前記検出する処理は、前記第１の情報及び前記第２の情報に基づいて、ユーザの動きを含むユーザの状態の差異を検出することを特徴とする請求項１に記載の携帯品管理方法。
【請求項３】
前記検出する処理は、前記第１の情報及び前記第２の情報に基づいて、ユーザの位置及び動きを含むユーザの状態の差異を検出することを特徴とする請求項１または２に記載の携帯品管理方法。
【請求項４】
前記第１の携帯品及び前記第２の携帯品のうち、正当なユーザの手元を離れたと判定された携帯品に対して所定の処理を行うことを特徴とする請求項１〜３のいずれか一つに記載の携帯品管理方法。
【請求項５】
第１の携帯品が利用された第１の情報を取得する第１の取得部と、
第２の携帯品が有するセンサによって検知された第２の情報を取得する第２の取得部と、
前記第１の情報及び前記第２の情報に基づいてユーザの状態の差異を検出する検出部と、
ユーザの状態に差異がある場合、前記第１の情報及び前記第２の情報と過去の履歴とを比較して異常事態が発生した可能性があるか否かを判定し、異常事態が発生した可能性がある場合、前記第１の携帯品及び前記第２の携帯品のいずれが正当なユーザの手元を離れたのかを判定する判定部と、
ユーザの状態に差異がない場合、前記第１の情報と前記第２の情報とをセットにして前記履歴として管理する管理部と、
を備えることを特徴とする携帯品管理装置。
【請求項６】
第１の携帯品が利用された第１の情報を取得し、
第２の携帯品が有するセンサによって検知された第２の情報を取得し、
前記第１の情報及び前記第２の情報に基づいてユーザの状態の差異を検出し、
ユーザの状態に差異がある場合、前記第１の情報及び前記第２の情報と過去の履歴とを比較して異常事態が発生した可能性があるか否かを判定し、
ユーザの状態に差異がない場合、前記第１の情報と前記第２の情報とをセットにして前記履歴として管理し、
異常事態が発生した可能性がある場合、前記第１の携帯品及び前記第２の携帯品のいずれが正当なユーザの手元を離れたのかを判定する処理をコンピュータに実行させる携帯品管理プログラム。
【発明の詳細な説明】
【技術分野】
【０００１】
この発明は、携帯品管理方法、携帯品管理装置及び携帯品管理プログラムに関する。
【背景技術】
【０００２】
従来、携帯品の管理を行う方法や装置がある。例えばＩＣカードの位置とユーザの携帯端末の位置とが離れているときに、ＩＣカードの使用を制限したり、ＩＣカードの置き忘れや盗難を通知する技術がある。また、サービスの提供を受ける携帯通信装置の位置と携帯型位置検出装置の位置とが離れているときに、携帯通信装置へのサービスの提供を禁止する技術がある。また、所定のエリア外において携帯端末が所定時間、操作されない状態でおかれたときに、携帯端末の置き忘れを検知する技術がある。ＩＣカードの位置情報は、たとえばＩＣカード利用端末の位置情報を用いることによって得られる。携帯端末の位置情報は、例えばＧＰＳ（Ｇｌｏｂａｌ  Ｐｏｓｉｔｉｏｎｉｎｇ  Ｓｙｓｔｅｍ、全地球測位システム）を用いることによって得られる。携帯端末の動きは、例えば３軸センサを用いることによって得られる。また、携帯端末の傾きが所定の傾きでない状態で所定時間経過したときに、携帯端末が放置されていることを通知する技術がある。また、携帯端末が異常な状態におかれたときに、外部からの入力の受け付けを禁止する技術がある。また、センサによって携帯端末の使用状態を判定した結果、異常状態もしくは放置状態であるときに、携帯端末の諸機能を使用禁止にする技術がある。
【先行技術文献】
【特許文献】
【０００３】
【特許文献１】特開２００６−９９２１７号公報
【特許文献２】特開２００８−９０８２４号公報
【特許文献３】特開２００８−１８２５６４号公報
【特許文献４】特開２０１０−９８３５６号公報
【特許文献５】特開２００８−１０４２３１号公報
【特許文献６】特開２００８−３０６４１２号公報
【発明の概要】
【発明が解決しようとする課題】
【０００４】
しかしながら、ＩＣカードの位置とユーザの携帯端末の位置とに基づいてＩＣカードの使用を制限したのでは、ユーザがＩＣカードとともに携帯端末を所持していないと、ＩＣカードの使用が制限されてしまうため、不便である。また、ユーザが携帯端末を所持していると想定してＩＣカードの紛失や盗難を判断するため、携帯端末の置き忘れや盗難を通知することができない。また、専用の携帯型位置検出装置を用いてユーザの位置を検出する場合、ユーザが身につけている衣服などに携帯型位置検出装置を付け忘れてしまうと、携帯通信装置へのサービスの提供が禁止されてしまうため、不便である。
【０００５】
所有者の手元を離れた携帯品に対して所定の処理を行うことができる携帯品管理方法、携帯品管理装置及び携帯品管理プログラムを提供することを目的とする。
【課題を解決するための手段】
【０００６】
携帯品管理方法、携帯品管理装置及び携帯品管理プログラムは、第１の携帯品が利用された第１の情報を取得し、第２の携帯品が有するセンサによって検知された第２の情報を取得し、前記第１の情報及び前記第２の情報に基づいてユーザの状態の差異を検出し、ユーザの状態に差異がある場合、前記第１の情報及び前記第２の情報と過去の履歴とを比較して異常事態が発生した可能性があるか否かを判定し、異常事態が発生した可能性がある場合、前記第１の携帯品及び前記第２の携帯品のいずれが所有者の手元を離れたのかを判定することを要件とする。
【発明の効果】
【０００７】
携帯品管理方法、携帯品管理装置及び携帯品管理プログラムによれば、所有者の手元を離れた携帯品に対して所定の処理を行うことができるという効果を奏する。
【図面の簡単な説明】
【０００８】
【図１】図１は、実施例１にかかる携帯品管理方法を示すフローチャートである。
【図２】図２は、実施例２にかかる携帯品管理装置のハードウェア構成を示すブロック図である。
【図３】図３は、実施例２にかかる携帯品の管理システムを示すブロック図である。
【図４】図４は、実施例２にかかる端末−ＩＣカード紐付けデータベースの一例を示す図である。
【図５】図５は、実施例２におけるＩＣカードの利用情報の一例を示す図である。
【図６】図６は、実施例２におけるＩＣカード状態変換表の一例を示す図である。
【図７】図７は、実施例２における履歴データベースの一例を示す図である。
【図８】図８は、実施例２における紐付け処理を示すフローチャートである。
【図９】図９は、実施例２におけるＩＣカード利用通知処理を示すフローチャートである。
【図１０】図１０は、実施例２にかかる携帯品管理方法における状態照合処理を示すフローチャートである。
【図１１】図１１は、実施例２にかかる携帯品管理方法における紛失／置き忘れ判定処理を示すフローチャートである。
【図１２】図１２は、実施例３にかかる携帯品の管理システムの要部を示すブロック図である。
【図１３】図１３は、実施例３にかかる端末−ＩＣカード紐付け候補データベースの一例を示す図である。
【図１４】図１４は、実施例４にかかる携帯品の管理システムの要部を示すブロック図である。
【図１５】図１５は、実施例５における位置の差異による自動ロック処理のレベルの一例を示す図表である。
【図１６】図１６は、実施例５における動きの差異による自動ロック処理のレベルの一例を示す図表である。
【発明を実施するための形態】
【０００９】
以下に添付図面を参照して、携帯品管理方法、携帯品管理装置及び携帯品管理プログラムの好適な実施の形態を詳細に説明する。携帯品管理方法、携帯品管理装置及び携帯品管理プログラムは、第１の携帯品が利用された第１の情報、第２の携帯品が有するセンサによって検知された第２の情報及び過去の履歴に基づいて、所有者の手元を離れた携帯品を判定するものである。以下の各実施例の説明においては、同様の構成要素には同一の符号を付して、重複する説明を省略する。
【００１０】
（実施例１）
図１は、実施例１にかかる携帯品管理方法を示すフローチャートである。図１に示すように、携帯品を管理する処理が開始されると、まず、携帯品の管理を行う携帯品管理装置は、第１の携帯品が利用された第１の情報を取得する（ステップＳ１）。また、携帯品管理装置は、第２の携帯品が有するセンサによって検知された第２の情報を取得する（ステップＳ２）。なお、ステップＳ１とステップＳ２とは、いずれが先に行われてもよいし、同時に行われてもよい。
【００１１】
次いで、携帯品管理装置は、第１の情報及び第２の情報に基づいてユーザの状態の差異を検出する（ステップＳ３）。そして、携帯品管理装置は、ユーザの状態に差異があるか否かを判定し、差異がない場合（ステップＳ４：Ｎｏ）、一連の処理を終了する。
【００１２】
一方、ユーザの状態に差異がある場合（ステップＳ４：Ｙｅｓ）、携帯品管理装置は、第１の情報及び第２の情報と過去の履歴とを比較して異常事態が発生した可能性があるか否かを判定する（ステップＳ５）。異常事態が発生した可能性がない場合（ステップＳ５：Ｎｏ）、携帯品管理装置は一連の処理を終了する。一方、異常事態が発生した可能性がある場合（ステップＳ５：Ｙｅｓ）、携帯品管理装置は、第１の携帯品及び第２の携帯品のいずれが所有者の手元を離れたのかを判定する（ステップＳ６）。そして、携帯品管理装置は一連の処理を終了する。
【００１３】
実施例１によれば、第１の携帯品及び第２の携帯品のいずれが所有者の手元を離れても、携帯品管理装置は、所有者の手元を離れた携帯品を判定することができる。従って、携帯品管理装置は、所有者の手元を離れた携帯品に対して所定の処理を行うことができる。
【００１４】
（実施例２）
・携帯品管理装置（サーバ）のハードウェア構成の説明
図２は、実施例２にかかる携帯品管理装置のハードウェア構成を示すブロック図である。携帯品の管理システムにおいて、携帯品管理装置は、例えばユーザが所有する携帯端末をクライアントとするサーバとして用いられてもよい。以下、携帯品管理装置をサーバと呼ぶ。図２に示すように、サーバ１は、ＣＰＵ（Ｃｅｎｔｒａｌ  Ｐｒｏｃｅｓｓｉｎｇ  Ｕｎｉｔ、シーピーユー）２、ＨＤＤ（Ｈａｒｄ  Ｄｉｓｋ  Ｄｒｉｖｅ、ハードディスクドライブ）３、ＲＡＭ（Ｒａｎｄｏｍ  Ａｃｃｅｓｓ  Ｍｅｍｏｒｙ、ラム）４及び通信インタフェース（通信ＩＦ）５がバス６に接続された構成を有する。
【００１５】
ＣＰＵ２は、携帯品を管理する携帯品管理プログラムを実行する。携帯品管理プログラムとして、例えば後述する紐付け処理、ＩＣカード利用通知処理、状態照合処理及び紛失／置き忘れ判定処理などの種々の処理を行うプログラムがある。これらの種々の処理を行うプログラムやＯＳ（Ｏｐｅｒａｔｉｎｇ  Ｓｙｓｔｅｍ、オペレーティングシステム）のデータは、例えばＨＤＤ３に格納されており、ＨＤＤ３から読み出されてＲＡＭ４に展開されてもよい。ＣＰＵ２は、ＲＡＭ４を作業領域として用い、ＲＡＭ４に展開されたＯＳやプログラムを実行する。通信インタフェース５は、サーバ１をネットワークに接続する。なお、サーバ１のハードウェア構成において、携帯品の管理システムに関係のない構成については図示及び説明を省略する。
【００１６】
・携帯品の管理システムの説明
実施例２にかかる管理システムでは、一例として、第１の携帯品として例えばＩＣカードが用いられており、第２の携帯品として例えば携帯電話機などの携帯端末が用いられている。
【００１７】
図３は、実施例２にかかる携帯品の管理システムを示すブロック図である。図３に示すように、管理システムにおいて、サーバ（携帯品管理装置）１及びクライアントとして例えば携帯端末２１がネットワーク４１に接続されている。また、サーバ１及びＩＣカード業者３１がネットワーク４２に接続されている。ネットワーク４１は、例えば通信事業者による携帯電話網であってもよい。ネットワーク４２は、例えばインターネットなどのコンピュータネットワークであってもよい。ネットワーク４１とネットワーク４２とが同じネットワークであってもよい。
【００１８】
・携帯品管理装置（サーバ）の機能的構成の説明
図３に示すように、サーバ１は、紐付け部１１、端末−ＩＣカード紐付けデータベース（端末−ＩＣカード紐付けＤＢ）１２、第１の取得部として例えばＩＣカード利用通知部１３、第２の取得部として例えば端末情報要求部１４、検出部として例えば状態照合部１５、判定部として例えば紛失／置き忘れ判定部１６、及び管理部として例えば情報管理部１７を備えている。これらの各部１１，１３，１４，１５，１６，１７及び端末−ＩＣカード紐付けデータベース１２は、ＣＰＵ２が各部を実現するプログラムを実行することにより実現される。端末−ＩＣカード紐付けデータベース１２は、例えばＲＡＭ４に展開されてもよい。
【００１９】
紐付け部１１は、携帯端末２１からネットワーク４１を介して、携帯端末２１の端末ＩＤ（端末識別子）及びＩＣカードのＩＣカードＩＤ（ＩＣカード識別子）を受信する。紐付け部１１は、端末ＩＤとＩＣカードＩＤとを紐付けて端末−ＩＣカード紐付けデータベース１２に保管する。紐付け部１１は、ＩＣカード利用通知部１３へＩＣカードＩＤを通知する。端末−ＩＣカード紐付けデータベース１２の一例を図４に示す。
【００２０】
図４は、実施例２にかかる端末−ＩＣカード紐付けデータベースの一例を示す図である。図４に示すように、端末−ＩＣカード紐付けデータベース１２の各レコードには、例えば端末ＩＤフィールド、ＩＣカードＩＤフィールド及び有効フラグフィールドが設けられている。端末ＩＤフィールドには、紐付け部１１によりＩＣカードＩＤに紐付けされた端末ＩＤが格納される。ＩＣカードＩＤフィールドには、紐付け部１１により端末ＩＤに紐付けされたＩＣカードＩＤが格納される。有効フラグフィールドには、サーバ１による管理の対象として有効であることを示すフラグが格納される。ＩＣカード業者３１から、ＩＣカードの利用情報をサーバ１へ通知することを受諾したことが通知されると、該当するＩＣカードＩＤがサーバ１による管理の対象として有効となる。
【００２１】
ＩＣカード利用通知部１３は、図３に示すように、ＩＣカード業者３１にネットワーク４２を介して、紐付け部１１から通知されたＩＣカードＩＤのＩＣカードが利用されたときにサーバ１にＩＣカードの利用情報を通知するように依頼する。ＩＣカード利用通知部１３は、ＩＣカード業者３１からネットワーク４２を介して、ＩＣカードの利用情報をサーバ１へ通知することを受諾したことの通知を受け取ると、端末−ＩＣカード紐付けデータベース１２の、該当するＩＣカードＩＤの有効フラグを有効（ＯＮ）にする。ＩＣカード利用通知部１３は、ＩＣカード業者３１からネットワーク４２を介して、ＩＣカードＩＤ及びこのＩＣカードＩＤのＩＣカードの利用情報を受信する。ＩＣカード利用通知部１３は、端末情報要求部１４にＩＣカードＩＤ及びこのＩＣカードＩＤのＩＣカードの利用情報を通知する。ＩＣカードの利用情報の一例を図５に示す。
【００２２】
図５は、実施例２におけるＩＣカードの利用情報の一例を示す図である。図５に示すように、ＩＣカードの利用情報３２には、例えば「自動改札」などの、ＩＣカードが利用された機器種別、「運賃支払」などの利用種別、利用年月日、入出場した路線や駅、電子マネーの残額及び取引連番の各種情報が含まれている。
【００２３】
端末情報要求部１４は、図３に示すように、ＩＣカード利用通知部１３から通知されたＩＣカードＩＤに紐付けされた端末ＩＤを端末−ＩＣカード紐付けデータベース１２から取得する。端末情報要求部１４は、端末−ＩＣカード紐付けデータベース１２から取得した端末ＩＤの携帯端末２１にネットワーク４１を介して、端末の状態を示す端末状態情報を要求する。端末情報要求部１４は、携帯端末２１からネットワーク４１を介して端末状態情報を受信する。端末状態情報には、例えば携帯端末２１の位置に関する情報が含まれていてもよい。端末状態情報には、例えば携帯端末２１の動きに関する情報が含まれていてもよい。端末情報要求部１４は、状態照合部１５に携帯端末２１の端末状態情報及びこの携帯端末２１に紐付けされたＩＣカードの利用情報を通知する。
【００２４】
状態照合部１５は、端末情報要求部１４から通知された端末状態情報及びＩＣカードの利用情報に基づいて、端末状態情報から得られるユーザの状態と、ＩＣカードの利用情報から得られるユーザの状態とに、差異があるか否かを判定する。ユーザの状態の一例として、例えばユーザの位置と動きが挙げられる。
【００２５】
状態照合部１５は、例えば端末状態情報から得られる携帯端末２１の現在位置の情報が緯度及び経度の情報である場合には、緯度及び経度の情報を当該緯度及び経度で指定される地点の施設（建屋）の情報に変換してもよい。緯度及び経度の情報を施設の情報に変換するサービスは、例えばウェブ（Ｗｅｂ）サービスで提供されている。状態照合部１５は、端末状態情報から得られた施設の情報と、例えば図５に示すＩＣカードの利用情報３２の６〜７バイト目または８〜９バイト目の利用施設情報（入出場した路線や駅の情報）とを照合してもよい。
【００２６】
状態照合部１５は、例えば図５に示すＩＣカードの利用情報３２において０バイト目の機器種別の情報をＩＣカードの状態に変換してもよい。状態照合部１５は、機器種別の情報をＩＣカードの状態に変換する際に、変換表を用いてもよい。ＩＣカードの状態を変換する変換表の一例を図６に示す。
【００２７】
図６は、実施例２におけるＩＣカード状態変換表の一例を示す図である。図６に示すように、ＩＣカード状態変換表１８には、ＩＣカードが利用された機器種別に対応するユーザの状態が予め登録されている。例えば、ＩＣカードが利用された機器種別が「自動改札」であれば、ユーザは自動改札機を歩いて通ると考えられるので、ＩＣカード状態変換表１８にはユーザの状態として「歩行」が登録されている。ＩＣカードが利用された機器種別が「入金」や「購買」であれば、ユーザは自動券売機などの自動販売機やレジなどで立ち止まっていると考えられるので、ＩＣカード状態変換表１８にはユーザの状態として「静止」が登録されている。図６に示すＩＣカード状態変換表１８は、例えばＲＡＭ４に展開されてもよい。状態照合部１５は、端末状態情報から得られた端末の動きの情報と、例えば図６に示すＩＣカード状態変換表１８から得られたＩＣカード（ユーザ）の状態の情報とを照合してもよい。
【００２８】
状態照合部１５は、図３に示すように、端末状態情報及びＩＣカードの利用情報のそれぞれから得られるユーザの状態に差異がない場合、情報管理部１７に端末状態情報及びＩＣカードの利用情報を通知する。状態照合部１５は、端末状態情報及びＩＣカードの利用情報のそれぞれから得られるユーザの状態に差異がある場合、紛失／置き忘れ判定部１６に端末状態情報及びＩＣカードの利用情報を通知する。状態照合部１５は、携帯端末２１の位置の情報とＩＣカードの位置の情報とが一致する場合にユーザの状態に差異がないと判定してもよい。状態照合部１５は、携帯端末２１の動きの情報とＩＣカードの動きの情報とが一致する場合にユーザの状態に差異がないと判定してもよい。状態照合部１５は、携帯端末２１の位置の情報及び動きの情報とＩＣカードの位置の情報及び動きの情報とがそれぞれ一致する場合にユーザの状態に差異がないと判定してもよい。
【００２９】
情報管理部１７は、状態照合部１５から通知された端末状態情報とＩＣカードの利用情報とをセットにして過去の履歴として保存する。情報管理部１７は、過去の履歴として保存された端末状態情報及びＩＣカードの利用情報のデータベースを備えている。端末状態情報及びＩＣカードの利用情報の履歴データベースの一例を図７に示す。
【００３０】
図７は、実施例２における履歴データベースの一例を示す図である。図７に示すように、履歴データベース１９には、例えばＩＣカードが利用されるたびに、ＩＣカードの利用位置及び利用された機器種別の情報とともに、ＩＣカードが利用されたときに携帯端末が存在した建屋の情報及び携帯端末の動きの情報が登録されていく。図７に示す履歴データベース１９は、例えばＲＡＭ４に展開されてもよい。
【００３１】
紛失／置き忘れ判定部１６は、図３に示すように、状態照合部１５から通知された端末状態情報及びＩＣカードの利用情報に基づいて、ＩＣカード及び携帯端末２１の紛失／置き忘れを判定する。例えば、紛失／置き忘れ判定部１６は、ＩＣカードの利用情報から取得したＩＣカードの現在の利用位置と履歴データベース１９とを照合し、履歴データベース１９にＩＣカードの現在の利用位置があるか否かを判定する。
【００３２】
ＩＣカードの現在の利用位置が履歴データベース１９にない場合、ユーザが過去にＩＣカードの現在の利用位置でＩＣカードを利用したことがないので、紛失／置き忘れ判定部１６は、ＩＣカードの紛失や置き忘れが発生した可能性が高いと判定してもよい。この場合、紛失／置き忘れ判定部１６は、ＩＣカード業者３１にＩＣカードを仮ロックする処理（自動ロック処理）を行うように依頼してもよい。ＩＣカードが仮ロックされた状態では、例えば自動改札機や自動販売機などでＩＣカードが使えないようにしてもよい。つまり、ＩＣカードが仮ロックされた状態では、駅員やレジの販売員など、人を介してのみＩＣカードを利用することができるようにしてもよい。ＩＣカードが仮ロックされた状態で、人を介してＩＣカードを利用する際には、氏名や生年月日などの個人情報を確認するようにしてもよい。その場合には、ＩＣカードの所有者以外の者がＩＣカードを不正に使用するのを防ぐことができる。
【００３３】
一方、ＩＣカードの現在の利用位置が履歴データベース１９にある場合、ユーザが過去にＩＣカードの現在の利用位置でＩＣカードを利用したことがあるので、今回もＩＣカードが正しく使用されたと推測してもよい。従って、紛失／置き忘れ判定部１６は、ＩＣカードの紛失や置き忘れが発生していないと判定してもよい。また、紛失／置き忘れ判定部１６は、端末状態情報から取得した携帯端末２１の現在の位置と履歴データベース１９とを照合し、履歴データベース１９に携帯端末２１の現在の位置があるか否かを判定する。
【００３４】
携帯端末２１の現在の位置が履歴データベース１９にない場合、携帯端末２１の現在の位置がユーザの活動範囲外にあるので、紛失／置き忘れ判定部１６は、携帯端末２１の紛失や置き忘れが発生した可能性が高いと判定してもよい。この場合、紛失／置き忘れ判定部１６は、携帯端末２１に仮ロックする処理（自動ロック処理）を行うように通知してもよい。携帯端末２１が仮ロックされた状態では、例えば携帯端末２１に特定のコードやパスワードが入力されるまで、携帯端末２１の諸機能が使えないようにしてもよい。携帯端末２１からの応答の一例として、例えばユーザが携帯端末２１に特定のコードやパスワードを入力することが挙げられる。携帯端末２１を仮ロックすることによって、携帯端末２１の所有者以外の者が携帯端末２１を不正に使用するのを防ぐことができる。
【００３５】
一方、携帯端末２１の現在の位置が履歴データベース１９にある場合、携帯端末２１の現在の位置がユーザの活動範囲内にあるので、紛失／置き忘れ判定部１６は、携帯端末２１の紛失や置き忘れが発生していないと判定してもよい。この場合、紛失／置き忘れ判定部１６は、ＩＣカード及び携帯端末２１のいずれに紛失や置き忘れが発生しているかを判定することが困難である。従って、紛失／置き忘れ判定部１６は、ＩＣカード業者３１及び携帯端末２１の両方に対して仮ロックする処理（自動ロック処理）を行うように通知してもよい。
【００３６】
紛失／置き忘れ判定部１６は、ＩＣカード業者３１及び携帯端末２１の一方または両方に対して仮ロックを通知した後、携帯端末２１にアラームを通知してもよい。紛失／置き忘れ判定部１６は、携帯端末２１へのアラームの通知に対する携帯端末２１からの応答を受け取ってもよい。
【００３７】
携帯端末２１からの応答（例えば、パスワードの入力など）がある場合、紛失／置き忘れ判定部１６は、ＩＣカードの紛失や置き忘れが発生したと判定して、ＩＣカード業者３１にＩＣカードを本ロックする処理（自動ロック処理）を行うように依頼してもよい。ＩＣカードが本ロックされた状態では、例えば人を介した場合でもＩＣカードを利用することができないようにしてもよい。
【００３８】
一方、携帯端末２１からの応答がない場合、紛失／置き忘れ判定部１６は、携帯端末２１の紛失や置き忘れが発生したと判定して、携帯端末２１に本ロックする処理（自動ロック処理）を行うように通知してもよい。携帯端末２１が本ロックされた状態では、携帯端末２１の全ての機能が使えないようにしてもよい。なお、サーバ１の機能的な構成において、携帯品の管理システムに関係のない構成については図示及び説明を省略する。
【００３９】
・携帯端末の説明
図３に示すように、携帯端末２１は、ＧＰＳ２２、３軸センサ２３、現在位置検出部２４、動き検出部２５、端末状態情報データベース（端末状態情報ＤＢ）２６及び端末情報通知部２７を備えている。ＧＰＳ２２は、複数の人工衛星からの電波を受信する。現在位置検出部２４は、ＧＰＳ２２で受信した電波に基づいて、携帯端末２１の現在の位置を検出する。ＧＰＳ２２及び現在位置検出部２４は、携帯端末２１の現在の位置を、定期的に検出してもよいし、サーバ１から端末状態情報が要求されたときに検出してもよい。携帯端末２１の現在の位置は、緯度及び経度のデータ（例えば、（３５．６８１４２２，１３９．７６６０９２））として与えられてもよいし、住所や施設（建屋）の情報として与えられてもよい。現在位置検出部２４は、携帯端末２１の現在の位置を端末状態情報データベース２６に保管する。
【００４０】
３軸センサ２３は、加速度センサやジャイロセンサや地磁気センサなどであり、携帯端末２１に生じる３次元の加速度を検出する。動き検出部２５は、３軸センサ２３で検出した３次元の加速度に基づいて、携帯端末２１の移動量や加速度量や傾き量を算出し、携帯端末２１の所有者の動きを検出する。携帯端末２１の所有者の動きの一例として、例えば静止、歩行、走行、電車、階段の上り、階段の下り、エレベータの上昇またはエレベータの下降などが挙げられる。３軸センサ２３及び動き検出部２５は、携帯端末２１の動きを、定期的に検出してもよいし、サーバ１から端末状態情報が要求されたときに検出してもよい。動き検出部２５は、携帯端末２１の動きを端末状態情報データベース２６に保管する。
【００４１】
端末状態情報データベース２６には、現在位置検出部２４から通知された携帯端末２１の現在の位置が格納される。端末状態情報データベース２６には、動き検出部２５から通知された携帯端末２１の動きが格納される。端末情報通知部２７は、サーバ１から端末状態情報が要求されると、端末状態情報データベース２６に格納されている情報、例えば携帯端末２１の現在の位置及び動きの情報をサーバ１へ通知する。
【００４２】
また、携帯端末２１は、端末ＩＤと、ユーザによって携帯端末２１に入力されたＩＣカードＩＤとをセットにしてサーバ１に通知する。携帯端末２１は、サーバ１からアラームの通知を受信し、アラームの通知を携帯端末２１のユーザに提示する。例えば、携帯端末２１は、サーバ１からアラームの通知を受信すると、画像表示部に、特定のコードやパスワードの入力を促す画面を表示してもよい。携帯端末２１は、サーバ１からのアラームの通知に対するユーザの応答をサーバ１に通知する。携帯端末２１は、サーバ１から仮ロックまたは本ロックを行う処理の依頼を受信すると、仮ロックまたは本ロックの処理を行う。なお、携帯端末２１の構成において、携帯品の管理システムに関係のない構成については図示及び説明を省略する。
【００４３】
・ＩＣカード業者の説明
図３に示すように、ＩＣカード業者３１は、サーバ１から、ＩＣカードが利用されたときにサーバ１にＩＣカードの利用情報を通知するように依頼されると、その依頼内容を登録する。ＩＣカード業者３１は、サーバ１に、ＩＣカードの利用情報をサーバ１へ通知することを受諾したことを通知する。ＩＣカード業者３１は、ＩＣカードの利用情報を通知するように依頼されたＩＣカードが利用されたことを検出すると、サーバ１にＩＣカードＩＤ及びＩＣカードの利用情報を通知する。ＩＣカード業者３１は、サーバ１から仮ロックまたは本ロックを行う処理の依頼を受信すると、受信内容に応じて、依頼されたＩＣカードに対して仮ロックまたは本ロックの処理を行う。
【００４４】
・携帯品管理方法の説明
［携帯品管理方法全体の説明］
図３に示すように、まず、携帯品管理方法による携帯品の管理サービスを開始するにあたって、ユーザは、管理対象のＩＣカードと携帯端末２１とをサーバ１に登録する。例えば、ユーザは携帯端末２１にＩＣカードＩＤを入力し、サーバ１への送信操作を行う。この送信操作によって、携帯端末２１はサーバ１へ、自身の端末ＩＤ及びユーザにより入力されたＩＣカードＩＤを送信する。
【００４５】
サーバ１の紐付け部１１は、携帯端末２１から端末ＩＤ及びＩＣカードＩＤを受信すると、紐付け処理を行う。紐付け処理では、紐付け部１１は、端末ＩＤとＩＣカードＩＤとを紐付けて、サーバ１の端末−ＩＣカード紐付けデータベース１２に保管する。また、紐付け部１１は、サーバ１のＩＣカード利用通知部１３にＩＣカードＩＤを通知する。
【００４６】
ＩＣカード利用通知部１３は、紐付け部１１からＩＣカードＩＤを受信すると、ＩＣカード利用通知処理を行う。ＩＣカード利用通知処理では、ＩＣカード利用通知部１３は、紐付け部１１から受信したＩＣカードＩＤに対応するＩＣカード業者３１に、当該ＩＣカードＩＤのＩＣカードが利用されたときにその利用情報をサーバ１へ通知するように依頼する。
【００４７】
ＩＣカード業者３１は、サーバ１から受信した、ＩＣカードの利用情報の通知の依頼を登録し、サーバ１にサーバ１からの依頼を受諾したことを通知する。
【００４８】
ＩＣカード利用通知部１３は、ＩＣカード業者３１から受諾の通知を受け取ると、端末−ＩＣカード紐付けデータベース１２の、該当するＩＣカードＩＤの有効フラグを有効にする。ユーザは、ここまでのＩＣカード及び携帯端末２１の登録作業を、携帯品の管理サービスを開始する際に一度、実施すればよい。
【００４９】
サーバ１にＩＣカード及び携帯端末２１が登録された状態で、ユーザによりＩＣカードが利用されると、ＩＣカード業者３１はサーバ１に、利用されたＩＣカードのＩＣカードＩＤ及びその利用情報を通知する。
【００５０】
サーバ１のＩＣカード利用通知部１３は、ＩＣカード業者３１からＩＣカードＩＤ及びＩＣカードの利用情報を受信すると、サーバ１の端末情報要求部１４にＩＣカードＩＤ及びＩＣカードの利用情報を通知する。
【００５１】
端末情報要求部１４は、端末−ＩＣカード紐付けデータベース１２を参照し、ＩＣカード利用通知部１３から受信したＩＣカードＩＤに紐付けられた端末ＩＤを端末−ＩＣカード紐付けデータベース１２から取得する。そして、端末情報要求部１４は、取得した端末ＩＤに該当する携帯端末２１に対して端末状態情報を要求する。
【００５２】
携帯端末２１の端末情報通知部２７は、サーバ１から端末状態情報を要求されると、端末状態情報データベース２６に格納されている情報をサーバ１へ通知する。端末状態情報データベース２６には、携帯端末２１の現在位置及び動きの情報が格納されている。携帯端末２１の現在位置検出部２４及び動き検出部２５は、現在の位置及び動きを、定期的に検出して端末状態情報データベース２６に格納してもよいし、サーバ１から端末状態情報を要求されたときに検出して端末状態情報データベース２６に格納してもよい。
【００５３】
サーバ１の端末情報要求部１４は、携帯端末２１から端末状態情報を受信すると、サーバ１の状態照合部１５に端末状態情報及びＩＣカードの利用情報を通知する。
【００５４】
状態照合部１５は、端末情報要求部１４から端末状態情報及びＩＣカードの利用情報を受信すると、状態照合処理を行う。状態照合処理では、状態照合部１５は、端末状態情報に含まれている位置の情報から導かれる施設（建屋）の情報と、ＩＣカードの利用情報に含まれている利用施設情報とが一致するか否かを判定する。また、状態照合部１５は、端末状態情報に含まれている動きの情報と、ＩＣカードの利用情報に含まれている機器種別の情報及びＩＣカード状態変換表から導かれるＩＣカードの状態の情報とが一致するか否かを判定する。
【００５５】
状態照合部１５は、携帯端末２１の位置とＩＣカードの利用位置とが一致し、かつ携帯端末２１の動きとＩＣカードの動きとが一致する場合、ユーザ状態の差異がないと判定して、サーバ１の情報管理部１７に端末状態情報及びＩＣカードの利用情報を通知する。
【００５６】
情報管理部１７は、状態照合部１５から受信した端末状態情報及びＩＣカードの利用情報をセットにして履歴データベース１９に格納する。
【００５７】
一方、状態照合部１５は、携帯端末２１の位置とＩＣカードの利用位置とが一致しないか、または携帯端末２１の動きとＩＣカードの動きとが一致しない場合、ユーザ状態の差異があると判定して、サーバ１の紛失／置き忘れ判定部１６に端末状態情報及びＩＣカードの利用情報を通知する。
【００５８】
紛失／置き忘れ判定部１６は、状態照合部１５から端末状態情報及びＩＣカードの利用情報を受信すると、紛失／置き忘れ判定処理を行う。紛失／置き忘れ判定処理では、紛失／置き忘れ判定部１６は、状態照合部１５から受信したＩＣカードの利用情報と情報管理部１７の履歴データベース１９とを照合し、ＩＣカードの利用位置が過去にあるか否かを判定する。紛失／置き忘れ判定部１６は、ＩＣカードの利用位置が過去にない場合、ＩＣカードの紛失や置き忘れが発生した可能性が高いと判定し、ＩＣカード業者３１にＩＣカードの仮ロックの依頼を通知する。
【００５９】
一方、紛失／置き忘れ判定部１６は、ＩＣカードの利用位置が過去にある場合、端末状態情報と履歴データベース１９とを照合し、携帯端末２１の現在位置が過去にあるか否かを判定する。紛失／置き忘れ判定部１６は、携帯端末２１の現在位置が過去にない場合、携帯端末２１の紛失や置き忘れが発生した可能性が高いと判定し、携帯端末２１に仮ロックを通知する。紛失／置き忘れ判定部１６は、携帯端末２１の現在位置が過去にある場合、ＩＣカード及び携帯端末２１のいずれに紛失や置き忘れが発生したのかを判定することが困難であるので、ＩＣカード及び携帯端末２１の両方に仮ロックを通知してもよい。
【００６０】
紛失／置き忘れ判定部１６は、仮ロックを通知した後、携帯端末２１にアラームを通知してもよい。紛失／置き忘れ判定部１６は、携帯端末２１からアラームに対する応答がある場合、ＩＣカードの紛失や置き忘れが発生したと判定して、ＩＣカード業者３１に本ロックを通知してもよい。紛失／置き忘れ判定部１６は、携帯端末２１からアラームに対する応答がない場合、携帯端末２１の紛失や置き忘れが発生したと判定して、携帯端末２１に本ロックを通知してもよい。
【００６１】
［紐付け処理の説明］
図８は、実施例２における紐付け処理を示すフローチャートである。図８に示すように、紐付け処理が開始されると、まず、サーバ１の紐付け部１１は、携帯端末２１の表示画面にＩＣカードＩＤ登録フォームを提示する（ステップＳ１１）。次いで、紐付け部１１は、携帯端末２１からＩＣカードＩＤの登録処理があるか否かを判定する（ステップＳ１２）。登録処理がある場合（ステップＳ１２：Ｙｅｓ）、紐付け部１１は、携帯端末２１から端末ＩＤ及びＩＣカードＩＤを受信する（ステップＳ１３）。登録処理がない場合（ステップＳ１２：Ｎｏ）、紐付け部１１は、ステップＳ１１に戻り、登録処理があるまで待機する。
【００６２】
次いで、紐付け部１１は、携帯端末２１から受信した端末ＩＤ及びＩＣカードＩＤのセットが端末−ＩＣカード紐付けデータベース１２にあるか否かを判定する（ステップＳ１４）。既に端末ＩＤ及びＩＣカードＩＤのセットがある場合（ステップＳ１４：両ＩＤあり）、紐付け部１１は、ステップＳ１１に戻り、次の登録処理があるまで待機する。ＩＣカードＩＤはあるが端末ＩＤがない場合（ステップＳ１４：端末ＩＤなし）、紐付け部１１は、端末−ＩＣカード紐付けデータベース１２に端末ＩＤ及びＩＣカードＩＤのセットを追加登録する（ステップＳ１５）。そして、紐付け部１１は、ステップＳ１１に戻り、次の登録処理があるまで待機する。
【００６３】
端末ＩＤはあるがＩＣカードＩＤがない場合、または端末ＩＤもＩＣカードＩＤもない場合（ステップＳ１４：ＩＣカードＩＤなし／両ＩＤなし）、紐付け部１１は、端末−ＩＣカード紐付けデータベース１２に端末ＩＤ及びＩＣカードＩＤのセットを追加登録する（ステップＳ１６）。また、紐付け部１１は、ＩＣカード利用通知部１３にＩＣカードＩＤを通知する（ステップＳ１７）。そして、ＩＣカード利用通知処理へ進む。なお、ステップＳ１６とステップＳ１７とは、いずれが先に行われてもよいし、同時に行われてもよい。
【００６４】
［ＩＣカード利用通知処理の説明］
図９は、実施例２におけるＩＣカード利用通知処理を示すフローチャートである。図９に示すように、ＩＣカード利用通知処理が開始されると、まず、サーバ１のＩＣカード利用通知部１３は、紐付け部１１からＩＣカードＩＤを受信する（ステップＳ２１）。次いで、ＩＣカード利用通知部１３は、受信したＩＣカードＩＤに対応するＩＣカード業者３１にＩＣカードの利用情報をサーバ１へ通知するように依頼する（ステップＳ２２）。次いで、ＩＣカード利用通知部１３は、ＩＣカード業者３１から受諾の通知を受信する（ステップＳ２３）。次いで、ＩＣカード利用通知部１３は、端末−ＩＣカード紐付けデータベース１２の、該当するＩＣカードＩＤの有効フラグを有効にする（ステップＳ２４）。そして、ＩＣカード利用通知部１３は一連の処理を終了する。
【００６５】
［状態照合処理の説明］
図１０は、実施例２にかかる携帯品管理方法における状態照合処理を示すフローチャートである。図１０に示すように、状態照合処理が開始されると、まず、状態照合部１５は、端末状態情報から得られる携帯端末２１の現在位置の緯度及び経度の情報に基づいて施設（建屋）の情報を取得する（ステップＳ３１）。端末状態情報から得られる携帯端末２１の現在位置の情報が施設（建屋）の情報である場合には、ステップＳ３１を省略することができる。
【００６６】
次いで、状態照合部１５は、端末状態情報から得られた施設（建屋）の情報とＩＣカードの利用施設情報とを照合し、携帯端末２１の現在位置とＩＣカードの利用位置とが一致するか否かを判定する（ステップＳ３２）。一致する場合（ステップＳ３２：Ｙｅｓ）、状態照合部１５は、ＩＣカードの利用情報に含まれている機器種別の情報及びＩＣカード状態変換表に基づいて、ＩＣカードの状態（動き）の情報を取得する。そして、状態照合部１５は、端末状態情報内の携帯端末２１の動きの情報とＩＣカードの状態（動き）の情報とを照合し、携帯端末２１の動きとＩＣカードの状態（動き）とが一致するか否かを判定する（ステップＳ３３）。
【００６７】
一致する場合（ステップＳ３３：Ｙｅｓ）、状態照合部１５は、ユーザ状態の差異がないと判定する（ステップＳ３４）。そして、状態照合部１５は、サーバ１の情報管理部１７に端末状態情報及びＩＣカードの利用情報を通知して、情報管理部１７による情報保存処理へ進む。情報保存処理では、情報管理部１７は、状態照合部１５から受信した端末状態情報及びＩＣカードの利用情報をセットにして履歴データベース１９に格納する。
【００６８】
携帯端末２１の現在位置とＩＣカードの利用位置とが一致しない場合（ステップＳ３２：Ｎｏ）、または携帯端末２１の動きとＩＣカードの状態（動き）とが一致しない場合（ステップＳ３３：Ｎｏ）、状態照合部１５は、ユーザ状態の差異があると判定する（ステップＳ３５）。そして、状態照合部１５は、サーバ１の紛失／置き忘れ判定部１６に端末状態情報及びＩＣカードの利用情報を通知して、紛失／置き忘れ判定処理へ進む。
【００６９】
［紛失／置き忘れ判定処理の説明］
図１１は、実施例２にかかる携帯品管理方法における紛失／置き忘れ判定処理を示すフローチャートである。図１１に示すように、紛失／置き忘れ判定処理が開始されると、まず、紛失／置き忘れ判定部１６は、履歴データベースを参照して、ＩＣカードの利用位置が過去にあるか否かを判定する（ステップＳ４１）。ない場合（ステップＳ４１：Ｎｏ）、紛失／置き忘れ判定部１６は、ＩＣカードの紛失や置き忘れの可能性が高いと判定し（ステップＳ４７）、ＩＣカード業者３１にＩＣカードの仮ロックの依頼を通知する（ステップＳ４８）。
【００７０】
一方、ＩＣカードの利用位置が過去にある場合（ステップＳ４１：Ｙｅｓ）、紛失／置き忘れ判定部１６は、履歴データベースを参照して、携帯端末２１の現在位置が過去にあるか否かを判定する（ステップＳ４２）。ない場合（ステップＳ４２：Ｎｏ）、紛失／置き忘れ判定部１６は、携帯端末２１の紛失や置き忘れの可能性が高いと判定し（ステップＳ４５）、携帯端末２１に仮ロックを通知する（ステップＳ４６）。携帯端末２１の現在位置が過去にある場合（ステップＳ４２：Ｙｅｓ）、紛失／置き忘れ判定部１６は、ＩＣカード及び携帯端末２１のいずれを紛失または置き忘れたのかを判定することが困難である（ステップＳ４３）。そこで、紛失／置き忘れ判定部１６は、ＩＣカード及び携帯端末２１の両方に仮ロックを通知してもよい（ステップＳ４４）。
【００７１】
ＩＣカード業者３１または携帯端末２１に仮ロックを通知した後、紛失／置き忘れ判定部１６は、携帯端末２１にアラームを通知してもよい（ステップＳ４９）。紛失／置き忘れ判定部１６は、携帯端末２１からアラームに対するユーザの応答があるか否かを判定する（ステップＳ５０）。応答がある場合（ステップＳ５０：Ｙｅｓ）、ＩＣカードの紛失や置き忘れが発生したことになるので、紛失／置き忘れ判定部１６は、ＩＣカード業者３１に本ロックを通知して（ステップＳ５１）、一連の処理を終了する。応答がない場合（ステップＳ５０：Ｎｏ）、携帯端末２１の紛失や置き忘れが発生したことになるので、紛失／置き忘れ判定部１６は、携帯端末２１に本ロックを通知して（ステップＳ５２）、一連の処理を終了する。
【００７２】
実施例２によれば、ＩＣカード及び携帯端末のいずれが所有者の手元を離れても、サーバ１は、所有者の手元を離れた携帯品を判定することができる。従って、サーバ１は、ＩＣカードが所有者の手元から離れた場合にはＩＣカード業者に対して、また携帯端末が所有者の手元から離れた場合には携帯端末に対して、仮ロック及び本ロックの処理を行うように通知することができる。それによって、ＩＣカードまたは携帯端末が仮ロックまたは本ロックされる。
【００７３】
（実施例３）
実施例３は、実施例２において、ＩＣカードＩＤと端末ＩＤとの紐付け処理を自動化したものである。携帯品管理装置（サーバ）のハードウェア構成は、実施例２と同様である。
【００７４】
・携帯品管理装置（サーバ）の機能的構成の説明
図１２は、実施例３にかかる携帯品の管理システムの要部を示すブロック図である。図１２に示すように、実施例３にかかるサーバ１は、実施例２の紐付け部１１の代わりに、端末状態判定部５１、自動紐付け部５２及び端末−ＩＣカード紐付け候補データベース（端末−ＩＣカード紐付け候補ＤＢ）５３を備えている。端末状態判定部５１、自動紐付け部５２及び端末−ＩＣカード紐付け候補データベース５３は、ＣＰＵ２（図２参照）が各部を実現するプログラムを実行することにより実現される。端末−ＩＣカード紐付け候補データベース５３は、例えばＲＡＭ４（図２参照）に展開されてもよい。
【００７５】
端末状態判定部５１は、携帯端末２１からネットワーク４１を介して、携帯端末２１の現在位置の情報を受信する。端末状態判定部５１は、例えば携帯端末２１の現在位置の情報が緯度及び経度の情報である場合には、緯度及び経度の情報を当該緯度及び経度で指定される地点の駅などの施設（建屋）の情報に変換してもよい。緯度及び経度の情報を施設の情報に変換するサービスは、例えばウェブサービスで提供されている。端末状態判定部５１は、施設（建屋）の情報に基づいて、入場した駅、出場した駅、入出場の時刻及び利用路線などを割り出す。端末状態判定部５１は、割り出した駅や時刻などの情報をＩＣカード業者３１へ通知する。端末状態判定部５１は、ＩＣカード業者３１に対して、通知した駅や時刻などの情報に合致するＩＣカードＩＤをサーバ１に知らせる依頼をする。端末状態判定部５１は、割り出した駅や時刻などの情報及び端末ＩＤを自動紐付け部５２に通知する。
【００７６】
自動紐付け部５２は、端末状態判定部５１から受信した端末ＩＤ及び駅や時刻などの情報と、ＩＣカード業者３１から受信した１つ以上のＩＣカードＩＤと、端末−ＩＣカード紐付け候補データベース５３とを照合する。自動紐付け部５２は、端末−ＩＣカード紐付け候補データベース５３から、端末ＩＤに対応する唯一のＩＣカードＩＤを抽出し、端末ＩＤとＩＣカードＩＤとを紐付けして端末−ＩＣカード紐付けデータベース１２に登録する。図示省略するが、サーバ１は、実施例２と同様に、ＩＣカード利用通知部、端末情報要求部、状態照合部、紛失／置き忘れ判定部及び情報管理部を備えている。端末−ＩＣカード紐付け候補データベース５３の一例を図１３に示す。
【００７７】
図１３は、実施例３にかかる端末−ＩＣカード紐付け候補データベースの一例を示す図である。図１３に示すように、端末−ＩＣカード紐付け候補データベース５３には、例えば端末ＩＤごとに紐付けの候補となるＩＣカードＩＤが登録されている。
【００７８】
・携帯端末の説明
図１２に示すように、携帯端末２１は端末位置情報通知部２８を備えている。端末位置情報通知部２８は、端末状態情報データベース２６に格納されている携帯端末２１の現在位置の情報をサーバ１へ通知する。図示省略するが、携帯端末２１は、実施例２と同様に、端末情報通知部を備えている。
【００７９】
・ＩＣカード業者の説明
図１２に示すように、ＩＣカード業者３１は、サーバ１から、サーバ１から通知された駅や時刻などの情報に合致するＩＣカードＩＤをサーバ１に知らせるように依頼されると、その依頼内容を登録する。ＩＣカード業者３１は、駅や時刻などの情報に合致する１つ以上のＩＣカードＩＤを抽出してサーバ１に通知する。
【００８０】
・携帯品管理方法の説明
［自動紐付け処理の説明］
自動紐付け処理が実行されると、携帯端末２１の端末位置情報通知部２８は、定期的に、端末状態情報データベース２６に格納されている携帯端末２１の現在位置の情報をサーバ１へ通知する。
【００８１】
サーバ１の端末状態判定部５１は、携帯端末２１から携帯端末２１の現在位置の情報を受信し、経度及び緯度の情報を駅などの施設（建屋）の情報に変換する。端末状態判定部５１は、施設（建屋）の情報に基づいて、入場した駅、出場した駅、入出場の時刻及び利用路線などを割り出す。端末状態判定部５１は、割り出した駅や時刻などの情報をＩＣカード業者３１へ通知するとともに、ＩＣカード業者３１に対して、通知した情報に合致するＩＣカードＩＤをサーバ１に知らせる依頼をする。また、端末状態判定部５１は、割り出した駅や時刻などの情報及び端末ＩＤを自動紐付け部５２に通知する。
【００８２】
ＩＣカード業者３１は、サーバ１から受信した駅や時刻などの情報に合致する１つ以上のＩＣカードＩＤを抽出し、抽出したＩＣカードＩＤをサーバ１に通知する。
【００８３】
サーバ１の自動紐付け部５２は、端末状態判定部５１から端末ＩＤ及び駅や時刻などの情報、並びにＩＣカード業者３１から１つ以上のＩＣカードＩＤを受信すると、端末−ＩＣカード紐付け候補データベース５３を参照する。自動紐付け部５２は、端末状態判定部５１から受信した端末ＩＤとＩＣカード業者３１から受信した１つ以上のＩＣカードＩＤとのそれぞれの組み合わせが、端末−ＩＣカード紐付け候補データベース５３に登録されているか否か検索する。端末状態判定部５１から受信した端末ＩＤが端末−ＩＣカード紐付け候補データベース５３にある場合、自動紐付け部５２は、端末−ＩＣカード紐付け候補データベース５３の、当該端末ＩＤの紐付け候補として登録されているＩＣカードＩＤと、今回ＩＣカード業者３１から受信したＩＣカードＩＤとのアンドを取る。
【００８４】
アンドを取った結果、ＩＣカードＩＤが１つだけ残れば、自動紐付け部５２は、アンドの結果残ったＩＣカードＩＤを端末ＩＤとセットにして端末−ＩＣカード紐付けデータベース１２に登録する。そして、自動紐付け部５２は、端末−ＩＣカード紐付け候補データベース５３から、端末−ＩＣカード紐付けデータベース１２に登録した端末ＩＤとＩＣカードＩＤとを削除する。
【００８５】
アンドを取った結果、ＩＣカードＩＤが複数残れば、自動紐付け部５２は、端末−ＩＣカード紐付け候補データベース５３の、当該端末ＩＤに対応するＩＣカードＩＤを、アンドの結果残った複数のＩＣカードＩＤに書き換える。該当する端末ＩＤが端末−ＩＣカード紐付け候補データベース５３にない場合、自動紐付け部５２は、端末−ＩＣカード紐付けデータベース１２に、該当する端末ＩＤがあるか否か検索する。
【００８６】
該当する端末ＩＤが端末−ＩＣカード紐付けデータベース１２にある場合、自動紐付け部５２はなにもしなくてもよい。該当する端末ＩＤが端末−ＩＣカード紐付けデータベース１２にない場合、自動紐付け部５２は、端末−ＩＣカード紐付け候補データベース５３に当該端末ＩＤを追加し、当該端末ＩＤとＩＣカードＩＤとを対応付けて登録する。携帯品管理方法において、紐付け処理を除く処理は実施例２と同様である。
【００８７】
実施例３によれば、実施例２と同様の効果が得られる。また、サーバ１に端末ＩＤとＩＣカードＩＤとが自動的に紐付けされて登録されるので、ユーザがＩＣカードＩＤの入力操作及びサーバ１への送信操作を行わずに済む。従って、ユーザが携帯端末２１を操作する手間が省ける。
【００８８】
（実施例４）
実施例４は、実施例２において、端末状態情報及びＩＣカードの利用情報のそれぞれから得られるユーザの状態に差異のある状態が継続している場合に、携帯端末２１またはＩＣカードに紛失や置き忘れが発生したと判定するものである。
【００８９】
図１４は、実施例４にかかる携帯品の管理システムの要部を示すブロック図である。図１４に示すように、サーバ１の紛失／置き忘れ判定部１６は、状態照合部１５からユーザの状態に差異があるとの通知を受信すると、ある一定期間、定期的に、ＩＣカード利用通知部１３にＩＣカードの利用の有無を問い合わせるとともに、携帯端末２１の端末情報通知部２７に端末状態情報を要求する。紛失／置き忘れ判定部１６は、ＩＣカード利用通知部１３からＩＣカードの利用情報を受信し、携帯端末２１から端末状態情報を受信すると、ユーザの状態に差異のある状態が継続しているか否かを判定する。
【００９０】
ユーザの状態に差異のある状態が継続している場合、紛失／置き忘れ判定部１６は、情報管理部１７の履歴データベース１９を照合し、実施例２と同様にして携帯端末２１及びＩＣカードのいずれが紛失または置き忘れられたのかを判定する。そして、紛失／置き忘れ判定部１６は、その判定結果に基づいて、携帯端末２１またはＩＣカード業者３１に対して自動ロック処理を行うように通知する。
【００９１】
実施例４によれば、実施例２と同様の効果が得られる。なお、図示省略するが、サーバ１は、実施例２と同様に、紐付け部、端末−ＩＣカード紐付けデータベース及び端末情報要求部を備えている。また、実施例３にも実施例４を適用することができる。その場合には、サーバ１は、端末状態判定部、自動紐付け部、端末−ＩＣカード紐付け候補データベース、端末−ＩＣカード紐付けデータベース及び端末情報要求部を備えており、携帯端末２１は端末位置情報通知部を備えている。
【００９２】
（実施例５）
実施例５は、実施例２、実施例３または実施例４において、端末状態情報及びＩＣカードの利用情報のそれぞれから得られるユーザの状態の差異の大きさによって、自動ロック処理のレベルを変更するものである。
【００９３】
図１５は、実施例５における位置の差異による自動ロック処理のレベルの一例を示す図表である。図１５に示すように、自動ロック処理レベルのテーブル６１には、ＩＣカードと携帯端末２１との距離に応じて、ロックされた携帯端末２１やロックされたＩＣカードを使用する際の制限内容、または使用する際に必要な入力事項などが登録されている。
【００９４】
図１６は、実施例５における動きの差異による自動ロック処理のレベルの一例を示す図表である。図１６に示すように、自動ロック処理レベルのテーブル６２には、ＩＣカードと携帯端末２１との動きの差（行動差）に応じて、ロックされた携帯端末２１やロックされたＩＣカードを使用する際の制限内容、または使用する際に必要な入力事項などが登録されている。
【００９５】
携帯端末２１の位置とＩＣカードの位置とに差異があり、かつ携帯端末２１の動きとＩＣカードの動きとにも差異がある場合がある。この場合、位置の差異による自動ロック処理のレベルと動きの差異による自動ロック処理のレベルとを照合し、よりレベルの高い方の自動ロック処理を携帯端末２１またはＩＣカードに施すようにしてもよい。実施例５によれば、実施例２と同様の効果が得られる。
【００９６】
上述した実施例１〜５に関し、さらに以下の付記を開示する。
【００９７】
（付記１）第１の携帯品が利用された第１の情報を取得し、第２の携帯品が有するセンサによって検知された第２の情報を取得し、前記第１の情報及び前記第２の情報に基づいてユーザの状態の差異を検出し、ユーザの状態に差異がある場合、前記第１の情報及び前記第２の情報と過去の履歴とを比較して異常事態が発生した可能性があるか否かを判定し、異常事態が発生した可能性がある場合、前記第１の携帯品及び前記第２の携帯品のいずれが所有者の手元を離れたのかを判定することを特徴とする携帯品管理方法。
【００９８】
（付記２）前記第１の情報及び前記第２の情報に基づいてユーザの状態の差異を検出した結果、ユーザの状態に差異がない場合、前記第１の情報と前記第２の情報とをセットにして履歴として管理することを特徴とする付記１に記載の携帯品管理方法。
【００９９】
（付記３）前記第１の携帯品及び前記第２の携帯品のうち、所有者の手元を離れたと判定された携帯品に対して所定の処理を行うことを特徴とする付記１または２に記載の携帯品管理方法。
【０１００】
（付記４）前記第１の携帯品と前記第２の携帯品とを紐付けして管理することを特徴とする付記１〜３のいずれか一つに記載の携帯品管理方法。
【０１０１】
（付記５）前記第２の携帯品の移動経路と前記第１の携帯品の利用状況とに基づいて前記第１の携帯品と前記第２の携帯品とを紐付けすることを特徴とする付記４に記載の携帯品管理方法。
【０１０２】
（付記６）前記第１の携帯品はＩＣカードであり、前記第１の情報は前記ＩＣカードの利用情報であることを特徴とする付記１〜５のいずれか一つに記載の携帯品管理方法。
【０１０３】
（付記７）前記第２の携帯品は自身の位置情報を送信可能な携帯端末であり、前記第２の情報は前記携帯端末の位置情報であることを特徴とする付記１〜６のいずれか一つに記載の携帯品管理方法。
【０１０４】
（付記８）前記第２の携帯品は自身の動き情報を送信可能な携帯端末であり、前記第２の情報は前記携帯端末の動き情報であることを特徴とする付記１〜７のいずれか一つに記載の携帯品管理方法。
【０１０５】
（付記９）第１の携帯品が利用された第１の情報を取得する第１の取得部と、第２の携帯品が有するセンサによって検知された第２の情報を取得する第２の取得部と、前記第１の情報及び前記第２の情報に基づいてユーザの状態の差異を検出する検出部と、ユーザの状態に差異がある場合、前記第１の情報及び前記第２の情報と過去の履歴とを比較して異常事態が発生した可能性があるか否かを判定し、異常事態が発生した可能性がある場合、前記第１の携帯品及び前記第２の携帯品のいずれが所有者の手元を離れたのかを判定する判定部と、を備えることを特徴とする携帯品管理装置。
【０１０６】
（付記１０）前記第１の情報及び前記第２の情報に基づいてユーザの状態の差異を検出した結果、ユーザの状態に差異がない場合、前記第１の情報と前記第２の情報とをセットにして履歴として管理する管理部を備えることを特徴とする付記９に記載の携帯品管理装置。
【０１０７】
（付記１１）前記判定部は、前記第１の携帯品及び前記第２の携帯品のうち、所有者の手元を離れたと判定された携帯品に対して所定の処理を行うことを特徴とする付記９または１０に記載の携帯品管理装置。
【０１０８】
（付記１２）前記第１の携帯品と前記第２の携帯品とを紐付けして管理する紐付け部を備えることを特徴とする付記９〜１１のいずれか一つに記載の携帯品管理装置。
【０１０９】
（付記１３）前記紐付け部は、前記第２の携帯品の移動経路と前記第１の携帯品の利用状況とに基づいて前記第１の携帯品と前記第２の携帯品とを紐付けすることを特徴とする付記１２に記載の携帯品管理装置。
【０１１０】
（付記１４）第１の携帯品が利用された第１の情報を取得し、第２の携帯品が有するセンサによって検知された第２の情報を取得し、前記第１の情報及び前記第２の情報に基づいてユーザの状態の差異を検出し、ユーザの状態に差異がある場合、前記第１の情報及び前記第２の情報と過去の履歴とを比較して異常事態が発生した可能性があるか否かを判定し、異常事態が発生した可能性がある場合、前記第１の携帯品及び前記第２の携帯品のいずれが所有者の手元を離れたのかを判定する処理をコンピュータに実行させる携帯品管理プログラム。
【０１１１】
（付記１５）前記第１の情報及び前記第２の情報に基づいてユーザの状態の差異を検出した結果、ユーザの状態に差異がない場合、前記第１の情報と前記第２の情報とをセットにしてメモリに格納し、履歴として管理することを特徴とする付記１４に記載の携帯品管理プログラム。
【０１１２】
（付記１６）前記第１の携帯品及び前記第２の携帯品のうち、所有者の手元を離れたと判定された携帯品に対して所定の処理を行うことを特徴とする付記１４または１５に記載の携帯品管理プログラム。
【０１１３】
（付記１７）前記第１の携帯品と前記第２の携帯品とを紐付けしてメモリに格納し、管理することを特徴とする付記１４〜１６のいずれか一つに記載の携帯品管理プログラム。
【０１１４】
（付記１８）前記第２の携帯品の移動経路と前記第１の携帯品の利用状況とに基づいて前記第１の携帯品と前記第２の携帯品とを紐付けして、メモリに格納することを特徴とする付記１７に記載の携帯品管理プログラム。
【符号の説明】
【０１１５】
４  メモリ
１１，５２  紐付け部
１３  第１の取得部
１４  第２の取得部
１５  検出部
１６  判定部
１７  管理部
２１  第２の携帯品
２２，２３  センサ
【図１】
0005625943.tif 000002
【図２】
0005625943.tif 000003
【図３】
0005625943.tif 000004
【図４】
0005625943.tif 000005
【図５】
0005625943.tif 000006
【図６】
0005625943.tif 000007
【図７】
0005625943.tif 000008
【図８】
0005625943.tif 000009
【図９】
0005625943.tif 000010
【図１０】
0005625943.tif 000011
【図１１】
0005625943.tif 000012
【図１２】
0005625943.tif 000013
【図１３】
0005625943.tif 000014
【図１４】
0005625943.tif 000015
【図１５】
0005625943.tif 000016
【図１６】
0005625943.tif 000017